(57)【要約】  【課題】給排気管の受け口に差込み口を挿入するだけで抜け止め作用が働き、接続した管を引き抜く場合は、ワンタッチで引き抜け可能にした装置を提供する。  【解決手段】一端に受け口を形成し、多端に差込み口を形成した定尺の給排気管において、前記受け口側２には、切り窓を切設し、この切り窓の外側にストッパー金具４を取り付け、該ストッパー金具４は、一端の上面にプッシュ部５、他端の下面に角型のロック部１２、中央部上面に軸受部１３を形成し、且つその下面側に板バネ１４を溶接したロック部材１０と、このロック部材１０を覆い、且つロック部材を軸着させたジョイントカバー１１とで構成されており、また前記差込み口側３には、前記ロック部材の角型のロック部が落ち込んで抜け止めを行う円周溝７を差し込口反対方向に勾配を設けて形成し、且つ差し込みストッパー凸部８を設けたことを特徴とする給排気管の抜け止め装置である。ストッパー金具の後部にＯリングを配設してもよい。プッシュ部５を指で押すことによって、容易に引き抜くことができる。  【選択図】図４
2006009856.tif 000002
【特許請求の範囲】
【請求項１】
一端に受け口を形成し、多端に差込み口を形成した定尺の給排気管において、前記受け口側には、切り窓を切設し、この切り窓の外側にストッパー金具を取り付け、該ストッパー金具は、一端の上面にプッシュ部、他端の下面に角型のロック部、中央部上面に軸受部を形成し、且つその下面側に板バネを溶接したロック部材と、このロック部材を覆い、且つロック部材を軸着させたジョイントカバーとで構成されており、また前記差込み口側には、前記ロック部材の角型のロック部が落ち込んで抜け止めを行う円周溝を差し込口反対方向に勾配を設けて形成し、且つ差し込みストッパー凸部を設けたことを特徴とする給排気管の抜け止め装置。
【請求項２】
角型のロック部が四角形である請求項１記載の給排気管の抜け止め装置。
【請求項３】
ストッパー金具の後部にＯリングを配設した請求項１又は２記載の給排気管の抜け止め装置。
【発明の詳細な説明】
【技術分野】
【０００１】
本発明は、定尺の給排気管を接続したときに、その抜け止めを行い、且つワンタッチで引き抜き可能にする給排気管の抜け止め装置に関する。
【背景技術】
【０００２】
燃焼器具の給排気管等の配管を接続するには、外管の受け口に内管の差込み口を挿入して行なっている。この場合、接続部で内管が外管から抜け落ちないように、給排気管ごとに抜け止め装置が設けられている。従来、この抜け止め装置は、受け口の内面に弾性爪板を奥方向に向けて取り付け、受け口に差込み口を所定の位置まで挿入したとき、この弾性爪板が差込み口に設けた円周溝に契合する構造のものを採用していた（特許文献１）。この抜け止め装置は、引き抜きに対して安定した強度が得られなく、また内管を外管から引き抜くときには、内管又は外管を回転させて、円周溝の側部の引き抜き用の溝に弾性爪板を合せる必要があり、引き抜き操作が煩雑であった。
【０００３】
そこで、外管の受け口に内管の差込み口を挿入するだけで抜け止め作用が働き、一旦挿入すると引き抜けなくなり、しかも接続した管を引き抜く場合は、管を回転することなくワンタッチで引き抜け可能にする装置が提案されている。例えば、外管の受け口に切設した切り窓の外側に、内部に逃げ空間及びロック壁、更にスライドガイド部を形成したカバーを取り付け、このカバーの内部に、先端にロック部を設け且つ他端にストッパー操作部を設けたロック部材を、その中間部を上記スライドガイド部で保持した状態で収納し、一方、内管の差し込み口には、外管の受け口を所定の位置まで挿入したときに、前記ロック部材のロック部が落ち込んで抜け止めを行う円周溝を形成した抜け止め装置が提案されている（特許文献２）。
【特許文献１】特開２０００−１４６０６６号公報
【特許文献２】特開２０００−３０４１８２号公報
【発明の開示】
【発明が解決しようとする課題】
【０００４】
本発明は、給排気管の受け口に、差込み口を挿入するだけで抜け止め作用が働き、一旦挿入すると引き抜けに対し安定した強度を持ち、しかも接続した管を引き抜く場合は、ワンタッチで引き抜け可能にする装置を提供することを目的とする。
【課題を解決するための手段】
【０００５】
本発明は、一端に受け口を形成し、多端に差込み口を形成した定尺の給排気管において、前記受け口側には、切り窓を切設し、この切り窓の外側にストッパー金具を取り付け、該ストッパー金具は、一端の上面にプッシュ部、他端の下面に角型のロック部、中央部上面に軸受部を形成し、且つその下面側に板バネを溶接したロック部材と、このロック部材を覆い、且つロック部材を軸着させたジョイントカバーとで構成されており、また前記差込み口側には、前記ロック部材の角型のロック部が落ち込んで抜け止めを行う円周溝を差し込口反対方向に勾配を設けて形成し、且つ差し込みストッパー凸部を設けたことを特徴とする給排気管の抜け止め装置である。前記の角型のロック部は四角形であることが好ましい。また、前記のストッパー金具の後部にＯリングを配設するのが好ましい。
【発明の効果】
【０００６】
本発明の給排気管の抜け止め装置は、外管の受け口に内管の差込み口を挿入するだけで抜け止め作用が働くため、一旦挿入すると安定した強度で引き抜け防止が発揮される。また、接続した管を引き抜く場合は、ワンタッチで引き抜け可能にすることができるので使用性に優れている。
【発明を実施するための最良の形態】
【０００７】
本発明の実施例の一例を図を用いて説明する。図１は本発明の抜け止め装置を備えた給排気管の斜視図である。１は給排気管で、２は給排気管１の受け口側、３は給排気管１の差込み口側である。４は受け口側２に切設した切り窓の外側に取り付けたストッパー金具であり、５はそのプッシュ部である。６はストッパー金具の後部に配設したＯリング収納部である。また、７は差込み口側３に形成した円周溝であり、８は差し込みストッパー凸部である。この給排気管の受け口に、同様の加工を施した他の給排気管の差込み口を挿入して接続させ配管施工する。
【０００８】
図２は、本発明の給排気管１の受け口側２の断面図である。９は給排気管１の受け口側２に切設した切り窓である。ストッパー金具５は、ロック部材１０とそれを覆うジョイントカバー１１とで構成されている。ロック部材１０は、一端の上面にプッシュ部５、他端の下面に角型のロック部１２、中央部上面に軸受部１３を有しており、その下面側に板バネ１４が溶接されている。ロック部材１２は、一枚の細長い金属板を折り曲げ加工して本体を作成するのが好ましい。このときロック部１２は角型に曲げる、この例では断面四角形を形成させている。また下面の板バネ１４はスポット溶接などで固着させる。１５はスポット溶接部である。
【０００９】
ジョイントカバー１１は、ロック部材１０を覆い、且つロック部材１０のロック部１２が上下するに十分な空間を有する。ジョイントカバー材１１には、その左右にピンを通す孔、すなわち軸受部１３が設けられている。ロック部材１０はジョイントカバー材１１に軸受部１３でピン１６によって軸着されている。ストッパー金具４は、ロック部材１０のロック部１２が給排気管１の受け口側２に切設した切り窓９から内側に突出できる状態に、且つロック部材１０の板バネ１４の端部が給排気管１の外面に接した状態に取り付ける。したがって、ストッパー金具４を取り付けたときは、板バネ１４によってプッシュ部５は押し上げられており、逆にロック部材１０のロック部１２は、ピン１６を軸にして押し下げられ、切り窓９から内側に突出した状態になる（図２の状態）。ストッパー金具４の取り付けは、ジョイントカバー１１の端部をスポット溶接などで所定の位置に固着させて行なう。また、ストッパー金具４の後部にＯリングを設けるのが好ましい。１７はＯリングであり、６はＯリング収納部である。
【００１０】
図３は、本発明の給排気管１の差込み口側３の断面図である。７は円周溝である。この円周溝７は接続時にロック部材１０のロック部１２が嵌入するに十分な深さを有する。またこの円周溝７は差し込口反対方向に勾配を設けて形成されている。すなわち、円周溝７の差込み口反対側は外形寸法まで傾斜している。このようにすることによって、円周溝７にロック部材１０のロック部１２が嵌入したとき、余裕ができるので、配管の微調整が容易になり、また給排気管の熱膨張にも対処できる。８は差し込みストッパー凸部であり、給排気管１の円周に沿って円弧状の突出部を形成させたものである。給排気管１の差込み口３を受け口２に挿入したとき、受け口２の先端がこの差し込みストッパー凸部８に突き当たり、その位置よりは挿入できなくなる。また、この差し込みストッパー凸部８を設けることによって、差込み口３の管強度を高め、つぶれにくくすることができる。
【００１１】
上記の如くして構成した給排気管１の受け口２に、他の給排気管１の差込み口３を挿入する。この挿入のとき、ロック部材１０の角型のロック部１２は給排気管１の差込み口側３によって押し上げられるが、このロック部１２には、板バネ１４の作用によって常に押し下げられる応力が掛かっている。そのため、更に挿入を進め、給排気管１の差込み口側３に設けた円周溝７がロック部材１０のロック部１２の位置に達すると、ロック部１２が押し下げられて円周溝７に嵌合する。このとき、給排気管１の受け口側２の先端は、給排気管１の差込み口側３の差し込みストッパー凸部８に突き当たる。図４は、この状態を示す。これによって、給排気管と給排気管のとは、抜け落ちることなく、また差し込むことない接続が行なえる。
【００１２】
給排気管の３を給排気管１から引き抜くときには、ストッパー金具５から突出しているロック部材１０のプッシュ部５を指先で押し下げる。これによって、ピン１６を軸にして、ロック部材１０のロック部１２が持ち上がり、差込み口側３の円周溝７から外れる。そのため、給排気管１の差込み口３を給排気管１の受け口２から容易に引き抜くことができる。
【図面の簡単な説明】
【００１３】
【図１】本発明の給排気管の抜け止め装置の斜視図
【図２】本発明の給排気管接続前の給排気管の受け口側の断面図
【図３】本発明の給排気管接続前の給排気管の差込み口側の断面図
【図４】本発明の給排気管接続後の接続部の断面図
【符号の説明】
【００１４】
１  給排気管、２  受け口側、３  差込み口側、４  ストパー金具、５  プッシュ部、７  円周溝、８  差し込みストッパー凸部、９  切り窓、１０  ロック部材、１１  ジョイントカバー、１２  ロック部、１３  軸受部、１４  板バネ、１５  スポット溶接部、１６  ピン、１７  Ｏリング
【図１】
2006009856.tif 000003
【図２】
2006009856.tif 000004
【図３】
2006009856.tif 000005
【図４】
2006009856.tif 000006